(57)【特許請求の範囲】
【請求項１】
天端レベルが異なる高位部と低位部とを有し、前記低位部には下端部が固定された複数のアンカーボルトが突設され、前記高位部及び前記低位部においてコンクリートが連続的且つ一体的に打設されてなる鉄筋コンクリート構造物を構築する際に用いられる型枠構造であって、
前記低位部の側面を仕切るための低位堰板材と、
前記高位部の側面を仕切るための高位堰板材と、
前記低位部と前記高位部との境界に配置されるものであって、前記低位堰板材の上端から前記高位堰板材の上端に至り、前記高位部の端部の一部分を仕切るための境界堰板材と、
前記低位部の天端面を覆うための蓋材と、を備え、
前記蓋材には、前記複数のアンカーボルトに対応した挿通孔が形成されており、
前記蓋材は、前記挿通孔に前記アンカーボルトが挿通されたのち前記アンカーボルトに装着された保持手段によって前記低位部の天端面に位置せしめられるとともに、前記保持手段を取り外すことによって前記アンカーボルトから離脱させられることを特徴とする、型枠構造。
【請求項２】
前記保持手段の少なくとも一部は硬磁性材料によって構成され、前記蓋材は軟磁性材料によって構成されており、前記保持手段と前記蓋材とが磁力によって着脱自在に繋がれることを特徴とする請求項１に記載の型枠構造。
【請求項３】
前記保持手段の少なくとも一部は前記アンカーボルトに螺合可能な螺合部を備えていることを特徴とする請求項１または２に記載の型枠構造。
【請求項４】
前記蓋材には、前記挿通孔が形成された領域内に、前記アンカーボルトには挿通されない開口部が形成されていることを特徴とする請求項１〜３のいずれか１項に記載の型枠構造。
【発明の詳細な説明】
【技術分野】
【０００１】
本発明は、高位部及び低位部においてコンクリートが連続的且つ一体的に打設されてなる鉄筋コンクリート構造物を構築する際に用いられる型枠構造に関する。
【背景技術】
【０００２】
鋼管に代表される鋼製の柱を用いる鉄骨構造建築のコンクリート基礎では、柱の設置位置に対応してアンカーボルトを埋設した柱脚基礎部を配置すると共に、柱脚基礎部と該柱脚基礎部に接続される基礎梁部とを一体的に構成するのが一般である。
【０００３】
特に、ラーメン構造の躯体では柱や柱脚部（柱を固定する為のアンカーボルト挿通穴を有するベースプレート）の寸法が大きくなる。このような躯体にＡＬＣパネルやＰＣパネル等のコンクリート系パネルからなる床版や外壁版を取り付けて建築物を構成する場合、柱脚基礎部と基礎梁部の天端レベルが等しいと、柱脚部に接して配置されるパネルの隅角に形成される欠込みを柱脚部の寸法に対応させてより大きく形成することが必要となり、パネルの支持に支障を来たすおそれがある。
【０００４】
このため、柱脚基礎部の天端レベルを基礎梁部の天端レベルよりも低く設定し、柱脚部を床版の設置レベルよりも下方に位置させることで、パネルの隅角に於ける欠込み寸法が大きくなることを回避することが行われている。
【０００５】
上述したようなコンクリート基礎を施工する場合、所定の柱脚基礎部及び基礎梁部の配置に従って型枠を配置し、この型枠で囲まれた空間にコンクリートを打設して柱脚基礎部の天端レベルと同一の天端レベルで柱脚基礎部と基礎梁部を一体的に構成する。その後、設置レベルを調整して柱脚基礎部に柱を固定している。
【０００６】
上述の施工方法では、まず柱脚基礎部の天端レベルに合わせてコンクリートを打設し、コンクリートがある程度硬化し流動性が低下した後、基礎梁部については所定の天端レベルとなるように再度コンクリートを打設することが必要である。このため、コンクリート打設作業に掛かる時間が長くなるという問題が発生する。
【０００７】
そこで、一度のコンクリート打設によって天端レベルの異なる柱脚基礎部と基礎梁部を一体的に構成することが出来るコンクリート基礎の施工方法として、下記特許文献１に記載のものが提案されている。
【先行技術文献】
【特許文献】
【０００８】
【特許文献１】特開平９−５９９９８号公報
【発明の概要】
【発明が解決しようとする課題】
【０００９】
上記従来の技術では、型枠及びアンカーボルトを配置し、次いで、型枠内にコンクリートを打設して柱脚基礎部及び基礎梁部を一体的に構成するものである。具体的には、柱脚基礎部に対応する部位と基礎梁部に対応する部位とを有するコンクリート基礎の側壁を形成する側壁形成部を有し、且つ基礎梁部の長手方向の端部に対応する位置に設けられ側壁形成部に於ける基礎梁部に対応する部位の上端から柱脚基礎部に対応する部位の上端に至る仕切板を有する型枠を配置すると共に、柱脚基礎部の所定位置にアンカーボルトを配置する。次いで、型枠の柱脚基礎部に対応する部位以外の型枠の上方からコンクリートを打設して、基礎梁部と仕切板によって仕切られた基礎梁部よりも低い天端レベルの柱脚基礎部とを一体に構成するものである。
【００１０】
この施工方法では、基礎梁部に対応する型枠の上方からコンクリートを打設すると、打設されたコンクリートは型枠に従って流動し、柱脚基礎部及び基礎梁部に充填される。打設されたコンクリートが柱脚基礎部の天端レベルまで到達すると、その後コンクリートは仕切板によって柱脚基礎部側への流動が阻止され基礎梁部のみに充填される。従って、一度のコンクリート打設によって天端レベルの異なる柱脚基礎部と基礎梁部を一体的に構成することが出来る優れた施工方法である。
【００１１】
ところで、この施工方法では、比較的スランプが小さく流動性の低いコンクリートを打設する際には、通常は特段の追加作業無く工程を進行できるものである。一方、比較的スランプが大きく流動性の高いコンクリートを打設する際には、コンクリートの勢いやバイブレーターの振動等によって、低位にある柱脚基礎部の天端から（柱脚基礎部の型枠上方の開口部から）コンクリートが噴出してしまう場合がある。このような場合には、噴出したコンクリートを掻き出したり、天端面を平滑に仕上げたりする作業が必要であった。
【００１２】
本発明はこのような課題に鑑みてなされたものであり、その目的は、比較的スランプが大きく流動性の高いコンクリートを打設する場合であっても、コンクリートの噴出を極力低減させ、低位部における柱脚基礎部の天端面を平滑に仕上げる作業を極力減らすことのできる型枠構造を提供することにある。
【課題を解決するための手段】
【００１３】
上記課題を解決するために本発明に係る型枠構造は、天端レベルが異なる高位部と低位部とを有し、前記低位部には複数のアンカーボルトが突設され、前記高位部及び前記低位部においてコンクリートが連続的且つ一体的に打設されてなる鉄筋コンクリート構造物を構築する際に用いられる型枠構造であって、前記低位部の側面を仕切るための低位堰板材と、前記高位部の側面を仕切るための高位堰板材と、前記低位部と前記高位部との境界に配置されるものであって、前記低位堰板材の上端から前記高位堰板材の上端に至り、前記高位部の端部の一部分を仕切るための境界堰板材と、前記低位部の天端面を覆うための蓋材と、を備え、前記蓋材には、前記複数のアンカーボルトに対応して設けられている挿通孔が形成されており、前記複数のアンカーボルトそれぞれの所定位置に対して前記蓋材を静止させることが可能であり、コンクリートの打設後においては前記アンカーボルトから前記蓋材を離脱させることが可能なように構成される保持手段を備えることを特徴とする。
【００１４】
本発明に係る型枠構造は、低位部の側面を仕切るための低位堰板材と、高位部の側面を仕切るための高位堰板材と、低位部と前記高位部との境界に配置されるものであって、低位堰板材の上端から高位堰板材の上端に至り、高位部の端部の一部分を仕切るための境界堰板材とを備えている。このように構成することで、型枠の柱脚基礎部に対応する低位部以外の型枠の上方からコンクリートを打設し、高位堰板材によって仕切られた基礎梁部に対応する高位部と低位部との双方にコンクリートを流し込むことができる。低位堰板材と高位堰板材との境界には境界堰板材が配置されているので、低位部にコンクリートが満たされた後には高位部のみにコンクリートが満たされ、段差が形成されている柱脚基礎部と基礎梁部とを一体的に形成することができる。更に本発明では、低位部の天端面を覆うための蓋材と、複数のアンカーボルトそれぞれの所定位置に対して蓋材を静止させることが可能な保持手段とを備えている。蓋材には、複数のアンカーボルトに対応して設けられている挿通孔が形成されているので、その挿通孔に複数のアンカーボルトを挿通することで、低位部の天端面を覆うように配置することができる。更に保持手段は、複数のアンカーボルトそれぞれの所定位置に対して蓋材を静止させることが可能であり、コンクリートの打設後においてはアンカーボルトから蓋材を離脱させることが可能なように構成されている。従って、コンクリートの打設時には低位部の天端面からコンクリートが溢れ出ることを防止することができ、コンクリートの打設後には蓋材を離脱させることで除去し、低位部に形成される柱脚基礎部の天端面を露出させ柱脚を配置することができる。このように本発明に係る型枠構造を用いれば、比較的スランプが大きく流動性の高いコンクリートを打設する場合であっても、バイブレーターをかけた際のコンクリートの噴出を極力低減させ、低位部における柱脚基礎部の天端面を平滑に仕上げる作業を極力減らすことができる。
【００１５】
また本発明に係る型枠構造では、前記保持手段の少なくとも一部は硬磁性材料によって構成され、前記蓋材は軟磁性材料によって構成されており、前記保持手段と前記蓋材とが磁力によって着脱自在に繋がれることも好ましい。
【００１６】
この好ましい態様では、保持手段の少なくとも一部は硬磁性材料（アルニコ磁石、フェライト磁石、サマリウムコバルト磁石、ネオジム磁石、ＫＳ鋼、ＭＫ鋼といった材料）若しくは硬磁性材料を含む材料によって構成され永久磁石として機能し、蓋材は鉄といった軟磁性材料若しくは軟磁性材料を含む材料によって構成され永久磁石に引き寄せられるものとして機能する。従って、保持手段と蓋材とが磁力によって着脱自在に繋がれるので、コンクリート打設時には保持手段と蓋材とを繋げておくことで、蓋材を低位部の天端面に位置させることができ、コンクリート打設後においては保持手段と蓋材とを引き離すことで蓋材を離脱させることができる。この場合、蓋材と保持手段とは磁力によって着脱自在に繋がっているので、容易に着脱可能であると共に、磁力が続く限り再利用することが可能である。
【００１７】
また本発明に係る型枠構造では、前記保持手段の少なくとも一部は前記アンカーボルトに螺合可能な螺合部を備えていることも好ましい。
【００１８】
この好ましい態様では、保持手段の一部としてアンカーボルトに螺合可能なナットといった螺合部を備えるように構成しているので、アンカーボルトに螺号している螺合部を回転させることでアンカーボルトに対する保持手段の位置を容易且つ正確に調整することが可能となる。保持手段に連動して蓋材の位置も変動するので、蓋材の位置も容易且つ正確に調整することが可能となる。
【００１９】
また本発明に係る型枠構造では、前記蓋材には、前記挿通孔が形成された領域内に、前記アンカーボルトには挿通されない開口部が形成されていることも好ましい。
【００２０】
この好ましい態様では、コンクリートが大量に溢れ出るのを抑制しつつ、この開口部を通して固まっていないコンクリートを取り出すことができるので、そのコンクリートを取り出した部分に、柱脚を部分的に支持するための支持部材を配置することができる。開口部は支持部材を配置するのに必要十分な広さを確保すれば足りるので、開口部からのコンクリートの溢れを最小限なものとしつつ支持部材を配置するスペースを簡易に確保することができる。
【発明の効果】
【００２１】
本発明によれば、比較的スランプが大きく流動性の高いコンクリートを打設する場合であっても、コンクリートの噴出を極力低減させ、低位部における柱脚基礎部の天端面を平滑に仕上げる作業を極力減らすことのできる型枠構造を提供することができる。
【図面の簡単な説明】
【００２２】
【図１】本実施形態に係る施工方法を実施する際の型枠の構成を説明する斜視図である。
【図２】型枠にコンクリートを打設した後の状態を示す斜視図である。
【図３】柱脚基礎部に支持部材を配置する方法を説明するための柱脚基礎部の断面図である。
【図４】柱脚基礎部に支持部材を配置する方法を説明するための柱脚基礎部の断面図である。
【発明を実施するための形態】
【００２３】
以下、添付図面を参照しながら本発明の実施の形態について説明する。説明の理解を容易にするため、各図面において同一の構成要素に対しては可能な限り同一の符号を付して、重複する説明は省略する。
【００２４】
本発明の実施形態である型枠構造を、その型枠構造を使用したコンクリート基礎の施工方法を説明するのに合わせて説明する。図１は本実施形態に係る型枠構造の構成を説明する斜視図、図２は本実施形態に係る型枠構造にコンクリートを打設した後の状態を示す斜視図である。
【００２５】
本実施形態に係る型枠構造を用いたコンクリート基礎の施工方法は、基礎伏図に従って配置された型枠に対する一度のコンクリート打設によって天端レベルの異なる柱脚基礎部と基礎梁部を構成するものであり、基礎工事の合理化と工期の短縮化をはかることを可能としたものである。
【００２６】
以下、説明の煩雑化を避けるために、図１に示す出隅部に於ける柱脚基礎部と基礎梁部との取合部分の型枠の構成について説明しつつ施工方法を説明する。もっとも、柱脚基礎部を有するＴ字型の取合部分、及び十字型の取合部分であっても実質的に同一である。
【００２７】
基礎の施工に当たっては、予め通常の方法で基礎伏図に従って遣方，根伐り，地業が行なわれ、その後、基礎フーチング或いはスラブ・耐圧盤の配筋、及び基礎筋の配筋が行なわれる。
【００２８】
上述のように所定の配筋を行なった後、型枠構造Ａの配置及び柱脚基礎部５の形成位置に対する４本のアンカーボルト１の配置が行なわれる。アンカーボルト１は、柱脚基礎部５において対角線上に配置され、それぞれが等間隔を保つように柱脚基礎部５の中心に対して対称位置に配置される。アンカーボルト１は、その下端部が地業面（捨てコン上面）に固定されたアンカーフレームによって固定される。また、アンカーボルト１は、籠状の鉄筋（フープ筋）内側の隅部に配置されている。型枠構造Ａ，アンカーボルト１の何れを先に配置するかは特に限定するものではなく、作業環境や作業手順に応じて適宜設定すれば良い。
【００２９】
型枠構造Ａは、基礎梁部４と柱脚基礎部５からなるコンクリート基礎の側壁を形成する側壁形成部２（低位堰板材、高位堰板材）と、基礎梁部４の長手方向の端部に対応する位置に設けられ側壁形成部２の上端から所定の深さを持った仕切板３（境界堰板材）とを有している。
【００３０】
基礎梁部４と柱脚基礎部５が等しい幅寸法を有する場合、側壁形成部２は単位長さを持って形成された平板枠２ａによって構成される。しかし、柱脚基礎部５が基礎梁部４よりも大きい幅寸法を有する本実施形態の場合には、側壁形成部２は平板枠２ａ（高位堰板材）と、基礎梁部４と柱脚基礎部５との接続構造に応じて選択された異形枠２ｂ，２ｃ（低位堰板材）を組み合わせて構成される。
【００３１】
図１に示すように、柱脚基礎部５が出隅部を構成し且つ基礎梁部４の幅寸法が柱脚基礎部５の幅寸法よりも小さい場合、基礎梁部４の構成位置に対応して複数の平板枠２ａが対向して配置され、隣接する平板枠２ａが互いに接続されて側壁形成部２の一部が構成され、且つ柱脚基礎部５の構成位置に対応して予め選択された異形枠２ｂ，２ｃが夫々形状に応じて配置され、隣接する異形枠２ｂ，２ｃどうし接続されると共に平板枠２ａと接続される。
【００３２】
異形枠２ｂ，２ｃの高さは平板枠２ａの高さよりも低くなるように形成されている。即ち、柱脚基礎部５に配置されたアンカーボルト１の寸法精度を保証するための治具を設けたり、このアンカーボルト１の倒れを防止する手段を構成する場合には、これらの治具或いは手段等に応じて予め設定された寸法に対応させて異形枠２ｂ，２ｃの高さを平板枠２ａよりも低くしておくことが好ましい。
【００３３】
基礎梁部４の長手方向の端部、即ち、基礎梁部４と柱脚基礎部５との境界に仕切板３が配置される。この仕切板３は、基礎梁部４と柱脚基礎部５の天端レベルの差に対応させて予め設定された深さを有する仕切材３ａと、仕切材３ａの一方の端部に溶接等の手段によって固着され平板枠２ａの上端に係止される係止材３ｂと、仕切材３ａの両端部から延出するように設けられる側板３ｃと、によって構成されている。
【００３４】
仕切板３は基礎梁部４と柱脚基礎部５との境界となる所定位置に配置され、万力状の固定金具６によって平板枠２ａに形成されたフランジに固定される。
【００３５】
本実施形態の場合、柱脚基礎部５を覆うことができるように蓋材１０が設けられている。蓋材１０には、４本のアンカーボルト１に対応して４個の挿通孔１０１が形成されている。蓋材１０の４個の挿通孔１０１が形成された領域内に位置するように、蓋材１０の略中央に開口部１０２が形成されている。開口部１０２は、アンカーボルト１が挿通されない開口であって、後述する支持部材（図１及び図２においては明示しない）を配置するスペースを設けるためのものである。尚、蓋材１０は、柱脚基礎部５の平面形状に対応しており、異形枠２ｂ，２ｃや仕切板３と干渉しないように構成されている。従って、蓋材１０は、基礎梁部４の接続数によらず汎用的に使用することができる。換言すれば、蓋材１０は、異形枠２ｂ，２ｃや仕切板３の配置態様や配置の有無に関わらず汎用的に使用することができるものである。
【００３６】
蓋材１０には、円環状の突起を有する保持部１０３が一対設けられている。この保持部１０３を持って、蓋材１０の４個の挿通孔１０１それぞれにアンカーボルト１を挿通させる。更にアンカーボルト１のそれぞれにワッシャー２０を通し、その上から更にナット２２（螺号部）を螺合させる。本実施形態では、ワッシャー２０は硬磁性材料で形成された永久磁石であって、ナット２２は軟磁性材料である鉄（鉄を含有する鋼材を用いることも好ましい）で形成されている。従って、蓋材１０とワッシャー２０とを近接させると両者は磁着し、更に蓋材１０が磁着したワッシャー２０を近接させるとナット２２とワッシャー２０が磁着する。このようにすることで、ナット２２とワッシャー２０にて蓋材１０を保持することができる。更に蓋材１０を保持した状態を保ったままナットのねじ込み量を調整することで、蓋材１０を異形枠２ｂ，２ｃの上端に相当する所定の位置に止まらせることができる。尚、蓋材１０の配置途中で誤って落下させたとしても、アンカーボルト１を囲むフープ筋によって受け止められる。尚、予め蓋材１０の挿通孔１０１に合わせてワッシャー２０を磁着させた上でアンカーボルト１を挿通させてもよい。
【００３７】
上述のように、基礎伏図に示されたコンクリート基礎の配置に従って型枠構造Ａを配置すると共に柱脚基礎部５の形成位置にアンカーボルト１を配置し、その後、基礎梁部４に対応する型枠構造Ａの上方からのみコンクリートを打設すると、打設されたコンクリートは型枠構造Ａに沿って流動し、基礎梁部４及び柱脚基礎部５に充填される。
【００３８】
型枠構造Ａに対するコンクリートの充填レベルが上昇して柱脚基礎部５の天端レベルに到達した後、引き続きコンクリートの打設を継続すると、打設されたコンクリートの基礎梁部４から柱脚基礎部５への流動は仕切板３によって阻止され、基礎梁部４にのみ充填される。そしてコンクリートの充填レベルが基礎梁部４の天端レベルに到達したとき、型枠構造Ａに対するコンクリートの打設を停止することで、天端レベルの異なる基礎梁部４と柱脚基礎部５を同時に構成することが可能である。
【００３９】
上述のように型枠構造Ａにコンクリートを打設して天端レベルの異なる基礎梁部４及び柱脚基礎部５を構成し、所定の養生期間が経過した後、型枠構造Ａを撤去してコンクリート基礎を露出させる。蓋材１０を撤去する際には、ナット２２を取り外し、蓋材１０を引き上げて撤去する。
【００４０】
その後、柱脚基礎部５の天端に支持部材（図１及び図２においては明示しない）を配置する。次いで、鋼製柱のベースプレート（図に明示しない）をアンカーボルト１に固定し、柱脚基礎部５に対し基礎梁部４の天端レベルと一致させるようにコンクリート或いはモルタルを充填してアンカーボルト１及びベースプレートからなる鋼製柱の柱脚部を埋設する。
【００４１】
続いて、柱脚基礎部５に支持部材を配置する方法について図３及び図４を参照しながら説明する。図３及び図４は、柱脚基礎部５に支持部材３５を配置する方法を説明するための柱脚基礎部５の断面図である。
【００４２】
図３に示すように、図１及び図２を参照しながら説明した型枠構造Ａにコンクリートを打設すると、蓋材１０の開口部１０２からコンクリートがはみ出るようにして柱脚基礎部５に相当する部分にコンクリートが充填される。
【００４３】
図４に示すように、コンクリート打設後、柱脚基礎部５中央の未硬化のコンクリートをえぐり取って凹部５１を形成し、この凹部５１に支持部材３５を埋設するとともに、凹部５１へのコンクリートの流入を防ぐ為の椀状のカバー部材５１１を配置する。なお、カバー部材５１１はコンクリート硬化後他の型枠構造Ａを構成する材料とともに撤去される。支持部材３５は、スクリューサポート３０と、ロックナット３１と、ベース部分３２とを備えている。スクリューサポート３０はベース部分３２に対して螺合されており、回転させることでベース部分３２に対して進退自在になるように構成されている。ベース部分３２は、スクリューサポート３０及びロックナット３１がコンクリートに埋没しないようにする為に底板３２ａと筒状の堰板３２ｂとを備えており、柱脚基礎部５の凹部５１の底に埋め込まれている。スクリューサポート３０は、鋼製柱のベースプレートを載置して鋼製柱のレベル出しをするものである。従って、コンクリートの硬化後にスクリューサポート３０の上端が所定の位置となるように調整し、ロックナット３１で固定した後に鋼製柱を載置する。
【００４４】
上述したように本実施形態に係る型枠構造Ａは、天端レベルが異なる高位部である基礎梁部４と低位部である柱脚基礎部５とを有し、低位部である柱脚基礎部５には４本のアンカーボルト１が突設され、基礎梁部４及び柱脚基礎部５においてコンクリートが連続的且つ一体的に打設されてなる鉄筋コンクリート構造物を構築する際に用いられるものである。具体的な構成としては、低位部である柱脚基礎部５の側面を仕切るための低位堰板材としての異形枠２ｂ，２ｃと、高位部である基礎梁部４の側面を仕切るための高位堰板材としての平板枠２ａと、基礎梁部４と柱脚基礎部５との境界に配置されるものであって、異形枠２ｂ，２ｃの上端から平板枠２ａの上端に至り、基礎梁部４の端部の一部分を仕切るための境界堰板材としての仕切板３と、柱脚基礎部５の天端面を覆うための蓋材１０と、を備えている。蓋材１０には、４本のアンカーボルト１に対応して設けられている４つの挿通孔１０１が形成されている。
【００４５】
本実施形態では更に、４本のアンカーボルト１それぞれの所定位置に対して蓋材１０を静止させることが可能であり、コンクリートの打設後においてはアンカーボルト１から蓋材１０を離脱させることが可能なように構成される保持手段を備えている。本実施形態の場合、保持手段は、蓋材１０の挿通孔１０１に挿通されたアンカーボルト１それぞれの所定位置に静止可能な位置決め部材としてのナット２２と、ナット２２と蓋材１０とを着脱自在に繋ぐ連結部材としてのワッシャー２０と、を有している。連結部材としてのワッシャー２０は硬磁性材料（アルニコ磁石、フェライト磁石、サマリウムコバルト磁石、ネオジム磁石、ＫＳ鋼、ＭＫ鋼といった材料）によって構成され、蓋材１０及び位置決め部材としてのナット２２は鉄などの軟磁性材料によって構成されており、ワッシャー２０と蓋材１０及びワッシャー２０とナット２２とがそれぞれ磁力によって着脱自在に繋がれている。
【００４６】
本実施形態ではこのように、保持手段を、位置決め部材（螺合部）としてのナット２２と、連結部材としてのワッシャー２０とによって構成しているので、蓋材１０をアンカーボルト１の所定位置に静止させる機能を位置決め部材であるナット２２に担わせる一方で、位置決め部材としてのナット２２と蓋材１０とを着脱自在に繋ぐ機能を連結部材としてのワッシャー２０に担わせるので、それぞれの機能を担うのに最適な材料及び形態でそれぞれの部材を形成することができる。また、連結部材であるワッシャー２０は硬磁性材料によって構成され、蓋材１０及び位置決め部材であるナット２２は軟磁性材料によって構成されているので、比較的高価な材料である硬磁性材料によって連結部材であるワッシャー２０のみを形成することになり、この型枠構造Ａ全体としては無駄なコストをかけずに上述した効果を奏することができる。
【００４７】
更に本実施形態では、軟磁性材料で形成される位置決め部材としてアンカーボルト１に螺合可能なナット２２を用いているので、鉄などで構成された汎用部材としてのナットを用いることができる。また、硬磁性材料で形成される連結部材としてアンカーボルト１に挿通可能なワッシャー２０を用いているので、比較的高価な材料である硬磁性材料によって平板円環状の簡単な構造を形成すればよく、無駄なコストをかけずに上述した効果を奏することができる。
【００４８】
尚、連結部材はワッシャーのような円環状のものでなくともよい。例えば、半円環状、コ（Ｕ）字状などであってもよく、このように構成することでアンカーボルトに対し横方向からの着脱が可能である。また、横方向への移動や転倒などによって連結機能が損なわれることがない限り、より単純な形状としてもよい。
【００４９】
このように本実施形態では、ナット２２及びワッシャー２０からなる保持手段の少なくとも一部であるワッシャー２０は硬磁性材料（アルニコ磁石、フェライト磁石、サマリウムコバルト磁石、ネオジム磁石、ＫＳ鋼、ＭＫ鋼といった材料）によって構成され永久磁石として機能し、蓋材１０は鉄といった軟磁性材料（軟磁性材料を含有する鋼材を用いることも好ましい）によって構成され永久磁石に引き寄せられるものとして機能するように構成されている。従って、保持手段と蓋材１０とが磁力によって着脱自在に繋がれるので、コンクリート打設時には保持手段と蓋材１０とを繋げておくことで、蓋材１０を低位部としての柱脚基礎部５の天端面に位置させることができ、コンクリート打設後においては保持手段と蓋材１０とを引き離すことで蓋材１０を離脱させることができる。この場合、蓋材１０と保持手段とは磁力によって着脱自在に繋がっているので、容易に着脱可能であると共に、磁力が続く限り再利用することが可能である。
【００５０】
本発明の趣旨に鑑みれば、ナット２２を硬磁性材料で構成し、ワッシャー２０を省略する構成を採用することも好ましいものである。このように保持手段の全てを硬磁性材料で構成し永久磁石として機能させれば、ワッシャー２０を省略してナット２２のみで保持手段を構成することができ、部品点数を減らすことができる。
【００５１】
また、本発明の趣旨に鑑みれば、保持手段は４本のアンカーボルト１それぞれの所定位置に対して蓋材１０を静止させることが可能であり、コンクリートの打設後においてはアンカーボルト１から蓋材１０を離脱させることが可能なように構成されるものであれば足りるものであるから、磁力を利用しない構成も採用することができる。例えば、アンカーボルト１の所定位置に蓋材１０を支え得る突起を設け、この突起に蓋材１０を係合して保持する事も好ましい態様である。また、蓋材１０に移動（スライド）自在な掛止片（フック）を設け、この掛止片をナット２２の上端面に掛止させてもよい。また、ワッシャーの両面に粘着材を塗布し、この粘着材の粘着力でナット２２と蓋材１０とを繋ぐように構成することも好ましい態様である。この場合において蓋材１０を再利用するにあたっては、粘着材を再塗布することが好ましいものである。また、両面テープのような粘着部材をワッシャーの両面に貼着させることも好ましい。
【００５２】
上述したように本実施形態に係る型枠構造Ａは、柱脚基礎部５に対応する低位部以外の型枠の上方からコンクリートを打設し、基礎梁部４に対応する高位部と柱脚基礎部５に対応する低位部との双方にコンクリートを流し込むことができる。基礎梁部４に対応する高位部と柱脚基礎部５に対応する低位部との境界には仕切板３が配置されているので、柱脚基礎部５にコンクリートが満たされた後には基礎梁部４のみにコンクリートが満たされ、段差が形成されている柱脚基礎部５と基礎梁部４とを一体的に形成することができる。
【００５３】
更に本実施形態では、柱脚基礎部５の天端面を覆うための蓋材１０と、４本のアンカーボルト１それぞれの所定位置に対して蓋材１０を静止させることが可能な保持手段とを備えている。蓋材１０には、４本のアンカーボルト１に対応して設けられている挿通孔１０１が形成されているので、その挿通孔１０１に４本のアンカーボルト１を挿通することで、柱脚基礎部５の天端面を覆うように配置することができる。更に保持手段は、４本のアンカーボルトそれぞれの所定位置に対して蓋材１０を静止させることが可能であり、コンクリートの打設後においてはアンカーボルト１から蓋材１０を離脱させることが可能なように構成されている。従って、コンクリートの打設時には柱脚基礎部５の天端面からコンクリートが溢れ出ることを防止することができ、コンクリートの打設後には蓋材１０を離脱させることで除去し、低位部に形成される柱脚基礎部５の天端面を露出させ柱脚を配置することができる。このように本実施形態に係る型枠構造Ａを用いれば、比較的スランプが大きく流動性の高いコンクリートを打設する場合であっても、バイブレーターをかけた際のコンクリートの噴出を極力低減させ、低位部における柱脚基礎部５の天端面を平滑に仕上げる作業を極力減らすことができる。
【００５４】
また本実施形態に係る型枠構造Ａでは、蓋材１０には、挿通孔１０１が形成された領域内に、アンカーボルト１には挿通されない開口部１０２が形成されている。このように構成することで、コンクリートが大量に溢れ出るのを抑制しつつ、この開口部１０２を通して固まっていないコンクリートを取り出すことができるので、そのコンクリートを取り出した部分に、柱脚を部分的に支持するための支持部材３５を配置することができる。開口部１０２は支持部材３５を配置するのに必要十分な広さを確保すれば足りるので、開口部１０２からのコンクリートの溢れを最小限なものとしつつ支持部材３５を配置するスペースを簡易に確保することができる。
【００５５】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５６】
１：アンカーボルト
２：側壁形成部
２ａ：平板枠
２ｂ，２ｃ：異形枠
３：仕切板
３ａ：仕切材
３ｂ：係止材
３ｃ：側板
４：基礎梁部
５：柱脚基礎部
６：固定金具
１０：蓋材
２０：ワッシャー
２２：ナット
３５：支持部材
１０１：挿通孔
１０２：開口部
１０３：保持部
Ａ：型枠構造
【図１】
0005503315.tif 000002
【図２】
0005503315.tif 000003
【図３】
0005503315.tif 000004
【図４】
0005503315.tif 000005